(57)【要約】  本発明は、比較的暖かい色の第１の光と比較的冷たい色の第２の光とを有する最終的な光を生成するための照明デバイス１００に関する。照明デバイス１００は、第１及び第２の光を生成するための第１及び第２の回路１、２と、最終的な光の強度状態当たりの温度に達するための第３の回路３と、第３の回路３に熱的に結合され、最終的な光、例えばより低い強度状態で比較的暖かい色を例えばより高い強度状態で比較的冷たい色を与えるための温度依存性回路を有する第４の回路４とを有する。この目的のために、第３の回路３は、抵抗３１及び／又はダイオード３２及び／又はゼナーダイオード３３を有してもよく、温度依存性回路は、第１の回路１と並列に接続された負温度係数抵抗４１又は第２の回路２と並列に接続された正温度抵抗４２を有してもよい。斯様な照明デバイス１００は、黒体線調光を提供してもよい。
2013534702.tif 000002
【特許請求の範囲】
【請求項１】
第１の状態において、第１の強度を有する最終的な光を生成し、第２の状態において、前記第１の強度より高い第２の強度を有する最終的な光を生成し、前記最終的な光が、第１の色温度を有する第１の光と前記第１の色温度より高い第２の色温度を有する第２の光とを有する照明デバイスであって、
少なくとも１つの第１の発光ダイオードを有する、前記第１の光を生成するための第１の回路と、
少なくとも１つの第２の発光ダイオードを有する、前記第２の光を生成するための第２の回路と、
前記第１の状態において、第１の温度に達し、前記第２の状態において、前記第１の温度より高い第２の温度に達するための第３の回路と、
前記第３の回路に熱的に結合される第４の回路とを有し、
比率は、前記第２の回路に供給される第２の電力によって分割された前記第１の回路に供給される第１の電力に等しく、
前記第４の回路は、前記第２の強度の最終的な光が前記第１の強度の最終的な光の第１の最終的な色温度と異なる第２の最終的な色温度を有するように、前記比率を適応させるための温度依存性回路を有する、照明デバイス。
【請求項２】
前記第２の最終的な色温度は、前記第１の最終的な色温度より高い、請求項１に記載の照明デバイス。
【請求項３】
前記の第１、第２及び第３の回路が直列に接続され、前記第４の回路が前記の第１及び第２の回路のうちの１つと並列に接続される、請求項２に記載の照明デバイス。
【請求項４】
前記第３の回路は、抵抗及び／又はダイオード及び／又はゼナーダイオードを有し、温度依存性回路は、温度係数抵抗を有する、請求項３に記載の照明デバイス。
【請求項５】
前記温度係数抵抗は、前記第１の回路と並列に接続された負温度係数抵抗である、請求項４に記載の照明デバイス。
【請求項６】
前記温度係数抵抗は、前記第２の回路と並列に接続された正温度係数抵抗である、請求項４に記載の照明デバイス。
【請求項７】
前記第４の回路は、前記温度係数抵抗に接続された抵抗及び／又はダイオード及び／又はゼナーダイオードを更に有する、請求項４に記載の照明デバイス。
【請求項８】
前記の第１及び第２の最終的な色温度は、色度空間の黒体線上又はその比較的近くに配置される、請求項１に記載の照明デバイス。
【請求項９】
前記第１の色温度は、暖白色若しくは赤若しくは黄色又は比較的これらに類似する色に対応し、第２の色温度は、冷白色若しくは青若しくは緑又は比較的これらに類似する色に対応する、請求項１に記載の照明デバイス。
【請求項１０】
前記の第１及び第２の回路の１つ以上のヒートシンクに熱的に結合される第５の回路を更に有し、前記第５の回路は、前記最終的な光を安定させるための他の温度依存性回路を有する、請求項１に記載の照明デバイス。
【請求項１１】
前記他の温度依存性回路は、温度係数抵抗を有する、請求項１０に記載の照明デバイス。
【請求項１２】
前記温度係数抵抗は、前記第１の回路と並列に及び／又は前記第２の回路と並列に接続された正温度係数抵抗である、請求項１１に記載の照明デバイス。
【請求項１３】
請求項１に記載の照明デバイスを有し、前記照明デバイスを駆動するためのドライバを更に有する、システム。
【請求項１４】
前記ドライバは、可変振幅直流ドライバ又はパルス幅変調調光直流ドライバ又は整流交流ドライバを有する、請求項１３に記載のシステム。
【請求項１５】
第１の状態において、第１の強度を有する最終的な光を生成し、第２の状態において、前記第１の強度より高い第２の強度を有する最終的な光を生成し、前記最終的な光が、第１の色温度を有する第１の光と前記第１の色温度より高い第２の色温度を有する第２の光とを有する、方法であって、
当該方法は、
少なくとも１つの第１の発光ダイオードを有する第１の回路を介して、前記第１の光を生成し、
少なくとも１つの第２の発光ダイオードを有する第２の回路を介して、前記第２の光を生成し、
第３の回路を介して、第１の状態において、第１の温度に達し、第２の状態において、前記第１の温度より高い第２の温度に達し、
前記第３の回路に熱的に結合された第４の回路を介して、比率が、前記第２の回路に供給される第２の電力によって分割された前記第１の回路に供給される第１の電力に等しくなり、
前記第４の回路は、前記第２の強度の最終的な光が前記第１の強度の最終的な光の第１の最終的な色温度と異なる第２の最終的な色温度を有するように、前記比率を適応させる、温度依存性回路を有する、方法。
【発明の詳細な説明】
【技術分野】
【０００１】
本発明は、第１の状態において、第１の強度を有する最終的な光を生成し、第２の状態において、第１の強度より高い第２の強度を有する最終的な光を生成し、最終的な光が、第１の色温度を有する第１の光と第１の色温度より高い第２の色温度を有する第２の光とを有する、照明デバイスに関する。
【０００２】
本発明は、更に、照明デバイス有するシステム及び方法に関する。
【背景技術】
【０００３】
第１の状態において、第１の強度を有する最終的な光を生成し、第２の状態において、第１の強度より高い第２の強度を有する最終的な光を生成するための照明デバイスは、一般的に知られている。第１の状態は低強度状態（調光状態）であり、第２の状態はより高い強度状態（他の調光状態又は非調光状態）である。最終的な光を生成するために、第１の暖かい色の第１の光及び第２の冷たい色の第２の光は、混合される。その場合、前記最終的な光は、第１の色温度を有する第１の光と第１の色温度より高い第２の色温度を有する第２の光とを有する。
【発明の概要】
【発明が解決しようとする課題】
【０００４】
本発明の目的は、最終的な光を生成するための改良された照明デバイスを提供することにある。更なる目的は、システム及び方法を提供することにある。
【課題を解決するための手段】
【０００５】
第１の態様によれば、第１の状態において、第１の強度を有する最終的な光を生成し、第２の状態において、前記第１の強度より高い第２の強度を有する最終的な光を生成し、前記最終的な光が、第１の色温度を有する第１の光と前記第１の色温度より高い第２の色温度を有する第２の光とを有する照明デバイスであって、少なくとも１つの第１の発光ダイオードを有する、前記第１の光を生成するための第１の回路と、少なくとも１つの第２の発光ダイオードを有する、前記第２の光を生成するための第２の回路と、前記第１の状態において、第１の温度に達し、前記第２の状態において、前記第１の温度より高い第２の温度に達するための第３の回路と、前記第３の回路に熱的に結合される第４の回路とを有し、比率は、前記第２の回路に供給される第２の電力によって分割された前記第１の回路に供給される第１の電力に等しく、前記第４の回路は、前記第２の強度の最終的な光が前記第１の強度の最終的な光の第１の最終的な色温度と異なる第２の最終的な色温度を有するように、前記比率を適応させるための温度依存性回路を有する、照明デバイスが提供される。
【０００６】
第１の回路は、第１の色温度を有する第１の光を生成し、第２の回路は、第１の色温度より高い第２の色温度を有する第２の光を生成する。第３の回路は、第１の状態において、第１の温度に達し、第２の状態において、第１の温度より高い第２の温度に達する。比率は、第２の回路に供給される（によって消費される）第２の電力によって分割される第１の回路に供給される（によって消費される）第１の電力に等しくなるように規定される。第４の回路は、第３の回路に熱的に結合され、第２の強度の最終的な光が第１の強度の最終的な光の第１の最終的な色温度と異なる第２の最終的な色温度を有するように前記比率を適応させるための温度依存性回路を有する。その結果、第１及び第２の最終的な色温度が異なることにより、より低い強度の第１の最終的な色温度を有するとともに、より高い強度の第２の最終的な色温度を有する最終的な光を生成するための、改良された照明デバイスが提供された。これは、例えば最終的な色温度が最終的な光の強度に依存しなければならない環境において、大きな利点である。
【０００７】
照明デバイスは、低コストである点で更なる利点である。照明デバイスは、第３の回路及び第４の回路の双方並びにこれらの回路間の熱カップリングが設計の自由度に各々寄与するという事実のために、設計の大きな自由度を示すという点で更に有利である。
【０００８】
照明デバイスによって生成される光が「最終的な」光と呼ばれる理由は、第１の色温度を有する第１の光と第１の色温度より高い第２の色温度を有する第２の光との混同を回避するためである。前記最終的な光は、この第１及び第２の光を有する。同様に、最終的な光の色温度が「最終的な」色温度と呼ばれる理由は、第１の色温度と第２の色温度との混同を回避するためである。
【０００９】
当然、前記最終的な光は、３つ以上の異なる強度のうちの１つを示してもよく、及び／又は、異なる色温度の３つ以上の異なる種類の光を有してもよく、及び／又は、３つ以上の異なる最終的な色温度のうちの１つを有してもよい。
【００１０】
照明デバイスの一実施形態は、第２の最終的な色温度が第１の最終的な色温度より高いことよって規定される。その結果、より低い強度の比較的暖かい色を有するとともにより高い強度の比較的冷たい色を有する最終的な光を生成するための改良された照明デバイスが提供された。これは、例えば家庭環境／事務所等を照らすための照明デバイスにおいて、大きな利点である。
【００１１】
照明デバイスの一実施形態は、第１、第２及び第３の回路が直列に接続され、第４の回路が第１及び第２の回路のうちの１つと並列に接続されることによって規定される。この実施形態は、設計のより大きな自由度を提供するという点で有利である。代わりに、第４の回路が例えば第１及び第２の回路のうちの１つに直列に接続されることにより、第１及び第２の回路が例えば並列に接続されてもよいが、並列回路における２本の分岐のそれぞれの間で同じ電位差が存在するという事実のために、設計の自由度はあまりないだろう。これは、分岐当たりの発光ダイオードの数の自由な選択を制限するか又は分岐のうちの１本への他の要素の追加を必要とする。
【００１２】
照明デバイスの一実施形態は、第３の回路が抵抗及び／又はダイオード及び／又はゼナーダイオードを有し、温度依存性回路が温度係数抵抗を有することによって規定される。この実施形態は、極めて低コストである点で有利である。代わりに、温度依存性回路は、第３の回路の温度を、スイッチ（例えばトランジスタ）を制御するための制御信号に変換するためのコンバータを有し、各スイッチが、例えば第１又は第２の回路の発光ダイオードのグループのうち１つの発光ダイオードを短絡させるために制御されてもよいが、これは照明デバイスをより高価にするだろう。
【００１３】
照明デバイスの一実施形態は、温度係数抵抗が第１の回路と並列に接続された負温度係数抵抗であることによって規定される。より高い強度では、第３の回路がより暖かくなり、負温度係数抵抗又はＮＴＣ抵抗は低い抵抗を示すだろう。結果として、第１の回路はより高い範囲にバイパスされ、第１の光は僅かに減らされた強度を示し、最終的な光はより高い最終的な色温度を得るだろう。
【００１４】
照明デバイスの一実施形態は、温度係数抵抗が第２の回路と並列に接続された正温度係数抵抗であることによって規定される。より高い強度では、第３の回路はより暖かくなり、正温度係数抵抗又はＰＴＣ抵抗はより高い抵抗を示すだろう。結果として、第２の回路はより低い範囲にバイパスされ、第２の光は僅かに増加した強度を示し、最終的な光はより高い最終的な色温度を得るだろう。
【００１５】
照明デバイスの一実施形態は、第４の回路が温度係数抵抗に接続された抵抗及び／又はダイオード及び／又はゼナーダイオードを更に有することによって規定される。この実施形態は、僅かに高いコストに対して設計のより大きな自由度を提供する点で有利である。
【００１６】
照明デバイスの一実施形態は、第１及び第２の最終的な色温度が、色度空間の黒体線上又はその比較的近くに配置されることによって規定される。これは、黒体線調光（black line dimming）としても、知られている。
【００１７】
照明デバイスの一実施形態は、第１の色温度が暖白色若しくは赤若しくは黄色又は比較的これらに類似する色に対応し、第２の色温度が、冷白色若しくは青若しくは緑又は比較的これらに類似する色に対応することによって規定される。赤及び黄色は、比較的低い色温度を有し、比較的暖色であり、青及び緑は、比較的高い色温度を有し、比較的冷色である。
【００１８】
照明デバイスの一実施形態は、第１及び第２の回路の１つ以上のヒートシンクに熱的に結合される第５の回路を更に有し、第５の回路が最終的な光を安定させるための他の温度依存性回路を有することによって規定される。
【００１９】
ヒートシンクが比較的遅い熱反応を有するという事実のために、ヒートシンクは薄暗い環境における異なる強度のための異なる最終的な色温度を制御するためにはあまり適していないが、これは安定化目的に非常にかなり適している。
【００２０】
照明デバイスの一実施形態は、他の温度依存性回路が温度係数抵抗を有することによって規定される。この実施形態は、極めて低コストであるという点で有利である。
【００２１】
照明デバイスの一実施形態は、温度係数抵抗が第１の回路と並列に及び／又は第２の回路と並列に接続された正温度係数抵抗であることによって規定される。ゆっくり上昇するヒートシンク温度では、第１の回路及び／又は第２の回路は、ゆっくり増加する電流を得るだろう。このように、第１の及び／又は第２の光の強度が、補償なしで、ゆっくり上昇するヒートシンク温度に対してゆっくり減少する場合には、最終的な光は安定する。
【００２２】
第２の態様によれば、請求項１の照明デバイスを有し、照明デバイスを駆動するためのドライバを更に有するシステムが提供される。
【００２３】
ドライバは、例えば電流信号を照明デバイスに供給し、電流信号は、例えば第１の状態（より低い強度状態）における第１のより低い二乗平均平方根値及び／又は第１のより小さい振幅を有し、例えば第２の状態（より高い強度状態）における第２のより高い二乗平均平方根値及び／又は第２のより大きい振幅を有する。代わりに、ドライバは、電圧信号を照明デバイスに供給してもよく、電圧信号は、斯様な電流信号等をもたらす。
【００２４】
システムの一実施形態は、ドライバが可変振幅直流ドライバ又はパルス幅変調調光直流ドライバ又は整流交流ドライバを有することによって規定される。
【００２５】
システムの重要な特徴は、ドライバが異なる駆動信号の供給を達成する手段が最終的な光の供給に影響しないということである。
【００２６】
第３の態様によれば、第１の状態において、第１の強度を有する最終的な光を生成し、第２の状態において、前記第１の強度より高い第２の強度を有する最終的な光を生成し、前記最終的な光が、第１の色温度を有する第１の光と前記第１の色温度より高い第２の色温度を有する第２の光とを有する、方法であって、当該方法は、少なくとも１つの第１の発光ダイオードを有する第１の回路を介して、前記第１の光を生成し、少なくとも１つの第２の発光ダイオードを有する第２の回路を介して、前記第２の光を生成し、第３の回路を介して、第１の状態において、第１の温度に達し、第２の状態において、前記第１の温度より高い第２の温度に達し、前記第３の回路に熱的に結合された第４の回路を介して、比率が、前記第２の回路に供給される第２の電力によって分割された前記第１の回路に供給される第１の電力に等しくなり、前記第４の回路は、前記第２の強度の最終的な光が前記第１の強度の最終的な光の第１の最終的な色温度と異なる第２の最終的な色温度を有するように、前記比率を適応させる、温度依存性回路を有する、方法が提供される。
【００２７】
洞察は、最終的な光が異なる強度のための同じ最終的な色温度を必ずしも有する必要はないことであり得る。
【００２８】
基本的な考えは、第３の回路が温度指示を介して強度指示を提供するために用いられることにあり、第３の回路に熱的に結合される第４の回路が、より高い強度の最終的な光に、より低い強度の最終的な光とは異なる最終的な色温度を与えるために用いられることにある。
【００２９】
最終的な光を生成するための改良された照明デバイスを提供する課題は解決された。改良は、この最終的な光が、第１及び第２の最終的な色温度が異なることにより、より低い強度の第１の最終的な色温度を有するとともに、より高い強度の第２の最終的な色温度を有するという事実にある。
【００３０】
更なる利点は、照明デバイスが低コストであり、設計の大きな自由度を示すことにある。
【００３１】
本発明のこれらの及び他の態様は、後述される実施形態から明らかになり、これらを参照して説明されるだろう。
【図面の簡単な説明】
【００３２】
【図１】照明デバイスの第１の実施形態を示す。
【図２】照明デバイスの第２の実施形態を示す。
【図３】照明デバイスの第３の実施形態を示す。
【図４】照明デバイスを有するシステムを示す。
【図５】第１の実施形態の実現のスケッチを示す。
【発明を実施するための形態】
【００３３】
図１において、照明デバイス１００の第１の実施形態が示されている。照明デバイス１００は、第１の色温度を有する第１の光を生成するための第１の回路１を有する。第１の回路１は、２つの第１の発光ダイオード１１及び１２を有する。代わりに、これは、１つだけの第１の発光ダイオード又は接続がどうであれ３つ以上の第１の発光ダイオードを有してもよい。照明デバイス１００は、第１の色温度より高い第２の色温度を有する第２の光を生成するための第２の回路２を更に有する。第２の回路２は、２つの第２の発光ダイオード２１及び２２を有する。代わりに、これは、１つだけの第２の発光ダイオード又は接続がどうであれ３つ以上の第２の発光ダイオードを有してもよい。この第１の実施形態は、直流供給信号又はＤＣ供給信号を受信するように設計されている。
【００３４】
照明デバイス１００は、第１の状態において、第１の強度を有する最終的な光を生成し、第２の状態において、第１の強度より高い第２の強度を有する最終的な光を生成する。この最終的な光は、第１の色温度を有する第１の光と第２の色温度を有する第２の光とを有する。第１の色温度は、例えば、暖白色又は赤又は黄色又は比較的これらに類似する色に対応する。第２の色温度は、例えば、冷白色又は青又は緑又は比較的これらに類似する色に対応する。第１の（第２の）回路１（２）は、第１の（第２の）色の第１の（第２の）光を一緒にもたらす異なる色の光を生成する異なる発光ダイオード（１１、１２、２１、２２）を有してもよい。各回路の範囲内のいくつかの色の選択を経て、回路当たりの結果として生じる色及び結果として生じる色温度が設定され得る。
【００３５】
照明デバイス１００は、第１の状態において、第１の温度に達し、第２の状態において、第１の温度より高い第２の温度に達する第３の回路３を更に有する。照明デバイス１００は、第３の回路３に熱的に結合される第４の回路４を更に有する。換言すれば、熱カップリング４９が、第３の回路３と第４の回路４の間にある。比率は、第２の回路２によって消費されるか又はこれに供給される第２の電力によって分割された第１の回路１によって消費されるか又はこれに供給される第１の電力に等しくなるように規定される。代わりに、他の比率が、第２の回路２を流れる第２の電流によって分割された第１の回路１を流れる第１の電流に等しくなるように規定されてもよい。第４の回路４は、第２の強度の最終的な光が例えば第１の強度の最終的な光より低いか又はより高い最終的な色温度を有するように、前記比率を適応させるための温度依存性回路を有する。
【００３６】
図１において、第１、第２及び第３の回路１、２及び３は、直列に接続され、第４の回路４は、第１の回路１と並列に接続される。第３の回路３は、抵抗３１を有し、温度依存性回路は、負温度係数抵抗４１を有する。
【００３７】
より高い強度（即ち、第１及び第２の回路１及び２を流れるより大きい電流をもたらす、第１及び第２の回路１及び２に供給されるより多くの電力）では、第３の回路３はより暖かくなり、負温度係数抵抗４１又はＮＴＣ抵抗４１はより低い抵抗を示すだろう。結果として、第１の回路１は、より高い範囲にバイパスされ、第１の光は、僅かに減少した強度を示し、最終的な光は、第２の光が最終的な光に以前より寄与するという事実のため高い最終的な色温度を有するだろう。
【００３８】
図２において、照明デバイス１００の第２の実施形態が示される。この照明デバイス１００は、第２の実施形態が交流供給信号又はＡＣ供給信号を受信するように設計されているという点で、図１に示されたものと異なる。このために、第１及び第２の回路１及び２は、各々双方向性構造を有する。第１の回路１は、第１及び第２の逆並列分岐を有する。第１の分岐は、２つの直列に接続された第１の発光ダイオード１１及び１２を有する。第２の分岐は、２つの直列に接続された第１の発光ダイオード１３及び１４を有する。第２の回路２は、第３及び第４の逆並列分岐を有する。第３の分岐は、２つの直列に接続された第２の発光ダイオード２１及び２２を有する。第４の分岐は、２つの直列に接続された第２の発光ダイオード２３及び２４を有する。この照明デバイス１００は、第４の回路４が第２の回路２と並列に接続される点、第３の回路３が双方向性構造における２つの逆並列ダイオード３２及び３４を有する点、及び、温度依存性回路が正温度係数抵抗４２を有する点で、図１において示されたものと更に異なる。結果として、照明デバイス１００を通る電流の流れの方向がどちらであっても、逆並列分岐の各対のいずれの１つでも光を発するだろう。
【００３９】
好ましくは、逆並列ダイオード３２及び３４は、第４の回路４との熱的に連通しなければならない。これは、例えば第３の回路３の２つの部分の間に第４の回路４を配置することによって実現され得る。各分岐は、１つだけ又は接続がどうであれ３つ以上の発光ダイオードを代わりに有してもよく、回路当たりのより多くの分岐は除外されるべきではない。
【００４０】
より高い強度（即ち、より多くの電力が第１及び第２の回路１及び２に供給され、第１及び第２の回路１及び２を流れるより大きい電流をもたらす）では、第３の回路３はより暖かくなり、正温度係数抵抗４２又はＰＴＣ抵抗４２はより高い抵抗を示すだろう。結果として、第２の回路２はより小さい範囲にバイパスされ、第２の光は僅かに増加した強度を示し、最終的な光は第２の光が最終的な光に以前より寄与するという事実のために高い最終的な色温度を有するだろう。
【００４１】
このように、図１及び２に関して、第１及び第２の強度の最終的な光の最終的な色温度は、色度空間（黒体線調光）の黒体線上又はこれの比較的近くに配置され得る。
【００４２】
図３において、照明デバイス１００の第３の実施形態が示されている。この照明デバイス１００は、第４の回路４が第２の回路２と並列に接続される点、温度依存性回路が正温度係数抵抗４２を有する点、第３の回路３がゼナーダイオード３３を有するという点、照明デバイス１００が第１の回路１と並列に接続された第５の回路５を更に有する点で、図１において示されるものと異なる。
【００４３】
第５の回路５は、第１の回路１のヒートシンクに、熱的に結合され、換言すれば、熱カップリング５９が、第１の回路１のヒートシンクと第５の回路５の間にある。代わりに、第５の回路５は、第２の回路２のヒートシンクに、又は、第１及び第２の回路１及び２の双方のヒートシンクに、又は、第１及び第２の回路１及び２の相互のヒートシンクに熱的に結合されてもよい。第５の回路５は、最終的な光を安定させるための他の温度依存性回路を有する。この他の温度依存性回路は、例えば、温度係数抵抗、この場合においては正温度係数抵抗５１を有する。
【００４４】
ゆっくり上昇するヒートシンク温度では、第１の回路１は、ゆっくり増加する電流を得るだろう。このように、第１の光の強度が、補償なしで、ゆっくり上昇するヒートシンク温度に対してゆっくり減少する場合には、最終的な光は安定する。代わりに及び／又は加えて、温度係数抵抗は、第２の回路２と並列に接続される正温度係数抵抗であってもよい。ゆっくり上昇するヒートシンク温度では、第２の回路２は、ゆっくり増加する電流を得るだろう。このように、第２の光の強度が、補償なしで、ゆっくり上昇するヒートシンク温度に対してゆっくり減少する場合には、最終的な光は安定する。代わりに、それぞれの他の温度依存性回路は、例えば、発光ダイオードが他の温度安定化及び／又は他の温度補償を必要とする場合には、他の温度係数抵抗を有してもよい。
【００４５】
図４において、照明デバイス１００を有し、照明デバイス１００を駆動するためのドライバ２００を更に有する、システム３００が示されている。ドライバ２００は、ソース４００に結合されてもよい。ドライバ２００は、例えば、可変振幅直流ドライバ又はパルス幅変調調光直流ドライバ又は整流交流ドライバを有してもよい。
【００４６】
図５において、第１の実施形態の実現のスケッチが示されている。照明デバイス１００は、キャリア６１に載置された発光ダイオード１１、１２、２１及び２２を有する。このキャリア６１は、電気接続のために、部品を機械的に支持するために、及び、熱カップリングをヒートシンク（図示せず）に設けることによって発光ダイオード１１、１２、２１及び２２を冷やすために、役立つ。図１に示すように、第１、第２及び第３の回路１―３は、直列に接続される。第４の回路４の負温度係数抵抗４１は、熱カップリング４９が第３の回路３と第４の回路４の間にあるように、第３の回路３の抵抗３１と密に接触している。これは、第３の回路３及び第４の回路４が、互いに密に接触しており、それ故に熱的に連通している一方で、好ましくはキャリア６１又は他の部品と密に接触しないことに留意する点で興味深い。結果として、第３の回路３の温度は、大部分が、この第３の回路３を流れる電流、結果として生じる電圧低下、及び、その電気特性（即ち、回路が抵抗、ダイオード等であるかどうか）に依存する電力消散によって決定される。温度及びそれ故に第４の回路４の抵抗は、第３の回路３の温度によって、次々に影響され、電流／電力が第１の回路１に供給される所望の機能をもたらし、それ故に、前に規定された比率は、照明デバイス１００がそのドライバから受ける信号／電力／二乗平均平方根電流／エネルギー等によって制御される。第３及び第４の回路３及び４の部品が比較的小さく、キャリア６１から比較的分離される場合には、これらは比較的急速に受信信号／電力／二乗平均平方根電流／エネルギー等の変化に反応するだろう。ここで示されない（ケーブル、センサ、レンズのような光学要素又は反射体のような）更なる構成要素が存在してもよい。
【００４７】
代わりに、図１〜３を考慮して、第１及び第２の回路１及び２は、例えば、第４の回路４が例えば第１及び第２の回路１及び２のうちの１つに直列に接続されることにより、並列に接続されてもよいが、並列接続における２本の分岐のそれぞれの間に同じ電位差が存在するという事実のために、設計のより少ない自由度があるだろう。これは、分岐当たりの発光ダイオードの数の自由な選択を制限するか又は分岐のうちの１本への他の要素の追加を必要とする。
【００４８】
代わりに、第４の回路４における温度依存性回路は、第３の回路３の温度を、スイッチ（例えばトランジスタ）を制御するための制御信号に変換するためのコンバータを有してもよい。各スイッチは、例えば、第１の（第２の）回路１（２）の一群の発光ダイオード１１―１２（２１―２２）の１つの発光ダイオードを短絡させるために制御されるが、これは、照明デバイス１００をより高価にするだろう。
【００４９】
加えて、第４の回路４は、例えば、設計の自由度を更に増加させるために温度係数抵抗４１、４２に接続された抵抗及び／又はダイオード及び／又はゼナーダイオードを備えてもよい。概して、要素及びＮＴＣ（ＰＴＣ）抵抗の並列接続は、この要素及びＰＴＣ（ＮＴＣ）抵抗の直列接続と置き換えられてもよく、逆もまた同じである。第３の回路３は、抵抗、ダイオード及びゼナーダイオードのグループの２つ以上を有してもよい。図１―３及びその任意の一部のいずれかにおいて示された任意の実施形態は、図１―３及びその任意の部分の他のものに示された任意の実施形態と組み合わせられてもよい。
【００５０】
発光ダイオードのそれぞれ（のグループ）は、無機の発光ダイオード又は有機発光ダイオードを有してもよく、低電圧発光ダイオード又は高電圧発光ダイオードを有してもよく、ＤＣ発光ダイオード又はＡＣ発光ダイオードを有してもよい。
【００５１】
要約すると、本発明は、比較的暖かい色の第１の光と比較的冷たい色の第２の光とを有する最終的な光を生成するための照明デバイス１００に関する。照明デバイス１００は、第１及び第２の光を生成するための第１及び第２の回路１、２と、最終的な光の強度状態当たりの温度に達するための第３の回路３と、第３の回路３に熱的に結合され、最終的な光、例えばより低い強度状態で比較的暖かい色を例えばより高い強度状態で比較的冷たい色を与えるための温度依存性回路を有する第４の回路４とを有する。この目的のために、第３の回路３は、抵抗３１及び／又はダイオード３２及び／又はゼナーダイオード３３を有してもよく、温度依存性回路は、第１の回路１と並列に接続された負温度係数抵抗４１又は第２の回路２と並列に接続された正温度抵抗４２を有してもよい。斯様な照明デバイス１００は、黒体線調光を提供してもよい。
【００５２】
本発明が図面及び前述の説明において例示され詳述された一方で、斯様な図示及び説明は、例示又は単なる例であるとみなされるべきであり、限定するものではない。本発明は、開示された実施形態に限定されるものではない。開示された実施形態に対する他のバリエーションは、図面、開示及び添付の特許請求の範囲の研究から、当業者によって理解され、実施され得る。請求項において、「有する」という用語は他の要素又はステップを除外するものではなく、単数表記は複数を除外するものではない。特定の手段が相互に異なる従属請求項に記載されるという単なる事実は、これらの手段の組み合わせが有効に用いられ得ないことを示すものではない。請求項の中のいかなる参照符号も、その範囲を限定するものとして考慮されるべきではない。
【図１】
2013534702.tif 000003
【図２】
2013534702.tif 000004
【図３】
2013534702.tif 000005
【図４】
2013534702.tif 000006
【図５】
2013534702.tif 000007
【国際調査報告】
2013534702.tif 000008
2013534702.tif 000009
2013534702.tif 000010